(57)【要約】【課題】吸殻収納タンク内で生じる異常を早期に検知、通報し、とりわけ吸殻があふれ出ることを未然に検知して、煩わしい定期点検作業やあふれ出た後の清掃作業を不要とし、また吸殻収納タンク内の火災を早期に察知することのできる吸殻回収装置を提供する。【解決手段】複数の遊技台を載置する台座の内部に配設され該台座の天板あるいは側板を貫通する複数の投入口から投入される吸殻を受容する吸殻受容手段と、該吸殻受容手段に溜まった該吸殻を該吸殻受容手段の一端部に移送する吸殻移送手段と、該吸殻受容手段の該一端部に配設され移送されてきた該吸殻を貯留する吸殻貯留手段と、を備える吸殻回収装置であって、該吸殻貯留手段の内部状態を検知する検知手段と、該検知手段の検知結果を通報する通報手段と、を備えることを特徴とする吸殻回収装置。【選択図】図２
2006130139.tif 000002
【特許請求の範囲】
【請求項１】
複数の遊技台を載置する台座の内部に配設され該台座の天板あるいは側板を貫通する複数の投入口から投入される吸殻を受容する吸殻受容手段と、該吸殻受容手段に溜まった該吸殻を該吸殻受容手段の一端部に移送する吸殻移送手段と、該吸殻受容手段の該一端部に配設され移送されてきた該吸殻を貯留する吸殻貯留手段と、を備える吸殻回収装置であって、
該吸殻貯留手段の内部状態を検知する検知手段と、該検知手段の検知結果を通報する通報手段と、を備えることを特徴とする吸殻回収装置。
【請求項２】
前記検知手段は、前記吸殻貯留手段に蓄えられた消火水や吸殻などの貯留物の上位端の位置を検知する位置センサを備えることを特徴とする請求項１に記載の吸殻回収装置。
【請求項３】
前記位置センサは、前記貯留物の上方に配設されて発信した超音波が該貯留物の上位端で反射して戻るまでの往復所要時間を基にして該貯留物の上位端との距離を検知する超音波センサである請求項２に記載の吸殻回収装置。
【請求項４】
前記検知手段は、前記吸殻貯留手段内の温度を検知して火災を監視する温度センサを備える請求項１〜３のいずれかに記載の吸殻回収装置。
【請求項５】
前記検知手段は、前記吸殻貯留手段内の煙を検知して火災を監視する煙センサを備える請求項１〜４のいずれかに記載の吸殻回収装置。
【請求項６】
前記通報手段は、前記位置センサにより検知された前記貯留物の上位端の位置が規定上限値よりも高いときあるいは規定下限値よりも低いとき、あるいは前記温度センサにより検知された温度が規定上限値を超えたとき、あるいは前記煙センサにより検知された煙濃度が規定上限値を超えたときに、点灯する表示ランプを備える請求項１〜５のいずれかに記載の吸殻回収装置。
【請求項７】
前記通報手段は、前記位置センサにより検知された前記貯留物の上位端の位置が規定上限値よりも高いときあるいは規定下限値よりも低いとき、あるいは前記温度センサにより検知された温度が規定上限値を超えたとき、あるいは前記煙センサにより検知された煙濃度が規定上限値を超えたときに、異常を意味する電気信号を出力する報知器を備える請求項１〜６のいずれかに記載の吸殻回収装置。
【発明の詳細な説明】
【技術分野】
【０００１】
本発明は、多数の遊技台が設置される遊技店などで用いられ、複数の投入口から投入されるたばこの吸殻やゴミを自動的に回収する吸殻回収装置に関する。
【背景技術】
【０００２】
遊技店では、複数の遊技台が台座上に一列に戴置されている。そして、遊技者の喫煙の便を考慮して、各遊技台ごとに灰皿が設置されているのが一般的である。この灰皿を清掃するため、遊技店の従業員は各遊技台を巡回しながら吸殻を回収している。最近では、従業員の手間を省くため、個々の灰皿に替えて投入口が備え付けられ、投入された吸殻を台座の中に落とし込んで自動的に回収する吸殻回収装置が用いられる場合も多い。
【０００３】
吸殻回収装置の一例として、特許文献１に開示される吸殻回収装置は、灰皿から落下した吸殻を受ける吸殻受け樋と、吸殻受け樋にたまった吸殻を吸殻受け樋の一端に移送する吸殻移送装置と、吸殻を収容する吸殻収容タンクと、を有している。吸殻収容タンクには通常消火水が蓄えられ、収容された吸殻は消火されて、貯留されるようになっている。従業員は定期的に吸殻収容タンクを点検し、貯留量が多いときには貯留物を回収して清掃し、あるいはタンクごと交換している。
【０００４】
ところで、吸殻収容タンクは台座内部に配設されており外部から視認することができない。このため、吸殻収容タンクの貯留量を確認するには扉を開けて内部をのぞきこむ手間が必要であり、従業員には負担となっていた。また、定期的な確認を怠った場合や、一時的に多数の吸殻が投入された場合には、吸殻収納タンクから吸殻があふれ出てしまう危険性があった。このときには台座の内部全体を清掃する多大な労力が必要となるため、未然に回避することが大きな課題となっていた。
【０００５】
さらに、吸殻収納タンク内の消火水の量が多すぎると、わずかの貯留量の吸殻であふれ出ることが危惧される。逆に消火水の量が少なすぎると、吸殻の貯留量が増加したときに上方の吸殻が消火されず、火災や発煙の発生が危惧される。また、消火水の量が適正であっても、一度に多数の吸殻が投入されたり、紙くずなどの可燃物が一緒に投入された場合には火災の危険性が生じる。この火災の危険性に対して現状では特別な対策はとられておらず、遊技店内の一般的な火災報知器及び消火設備に依存している状況である。
【特許文献１】特開平９−２１５８４３号公報
【発明の開示】
【発明が解決しようとする課題】
【０００６】
本発明は上記背景に鑑みてなされたものであり、吸殻収納タンク内で生じる異常を早期に検知、通報し、とりわけ吸殻があふれ出ることを未然に検知して、煩わしい定期点検作業やあふれ出た後の清掃作業を不要とし、また吸殻収納タンク内の火災を早期に察知することのできる吸殻回収装置を提供する。
【課題を解決するための手段】
【０００７】
本発明の吸殻回収装置は、複数の遊技台を載置する台座の内部に配設され該台座の天板あるいは側板を貫通する複数の投入口から投入される吸殻を受容する吸殻受容手段と、該吸殻受容手段に溜まった該吸殻を該吸殻受容手段の一端部に移送する吸殻移送手段と、該吸殻受容手段の該一端部に配設され移送されてきた該吸殻を貯留する吸殻貯留手段と、を備える吸殻回収装置であって、該吸殻貯留手段の内部状態を検知する検知手段と、該検知手段の検知結果を通報する通報手段と、を備えることを特徴とする。
【０００８】
吸殻受容手段は、台座の内部に配設され、吸殻を受容する。遊技店では、複数の遊技台が台座の天板の上に一列に載置されている。そして、個々の遊技台ごとに、灰皿に代えて台座の天板あるいは側板を貫通する投入口が形成されている。それぞれの投入口から投入される吸殻やその他のゴミを受容するため、吸殻受容手段は全ての投入口の下部を通り、台座の全長に渡って形成される長尺状の容器であることが好ましい。
【０００９】
吸殻移送手段は、吸殻受容手段に溜まった吸殻を、吸殻受容手段の一端部に移送する。吸殻移送手段は、例えば、吸殻受容手段の他端部から一端部まで移動して途中で吸殻を捕集しながら移送する吸殻捕集部材と、吸殻捕集部材を駆動する駆動手段とで構成することができる。より具体的な例としては、吸殻受容手段の両端部を結ぶように配置されて回転走行するエンドレスチェーンと、エンドレスチェーンを架装し駆動する複数のスプロケットと、エンドレスチェーンに固定された吸殻捕集部材と、で構成することができる。吸殻捕集部材は、エンドレスチェーンに固定され、エンドレスチェーンの走行とともに移動する形式であれば、その大きさや形状および個数に特に限定はない。例えば、投入される吸殻を直接受容する小容器や、吸殻受け部の底面にたまった吸殻を押しながら移送する平板、などの形状でもよい。エンドレスチェーンも、ベルトなど他の部材に代えてもよい。
【００１０】
吸殻貯留手段は、吸殻受容手段の一端部に配設され、移送されてきた吸殻を貯留する。吸殻貯留手段の形状や大きさに特に限定はなく、吸殻受容手段の一端部から落下する吸殻を受け止められる位置に配設され、所望の容積を有する一般的な容器でよい。たとえば、消火水を蓄えた水槽を用いることができる。これにより、移送されてきた吸殻は水槽内に落下し、水分を吸って自然に消火し、貯留される。
【００１１】
上記の他にも、吸殻受容手段内の煙を取り除く排煙装置や、吸殻貯留手段である水槽内で消火水を対流させて吸殻を速やかに水没させるためのポンプ類などを、適宜付設してもよい。本発明の吸殻回収装置は、上述の構成に加えて、吸殻貯留手段の内部状態を検知する検知手段と、検知手段の検知結果を通報する通報手段と、を備えている。
【００１２】
前記検知手段は、前記吸殻貯留手段に蓄えられた消火水や吸殻などの貯留物の上位端の位置を検知する位置センサを備えることが好ましい。とりわけ、前記位置センサは、前記貯留物の上方に配設されて発信した超音波が該貯留物の上位端で反射して戻るまでの往復所要時間を基にして該貯留物の上位端との距離を検知する超音波センサであることが好ましい。
【００１３】
吸殻貯留手段の貯留量を把握するためには、消火水や吸殻などの貯留物の上位端の位置を検知することが必要である。この用途には超音波センサが好適である。類似の方式として可視光を用いた光学式センサも考えられるが、吸殻のヤニなどによる汚損の影響を受けるため適用は難しい。超音波センサは、汚損の影響を受けにくく、保守点検が不要で、吸殻貯留手段物から離して配設することができるため貯留物の回収や清掃にも便利であり、好ましい。
【００１４】
前記検知手段は、前記吸殻貯留手段内の温度を検知して火災を監視する温度センサを備えてもよい。また、前記検知手段は、前記吸殻貯留手段内の煙を検知して火災を監視する煙センサを備えてもよい。吸殻貯留手段内の温度または煙をセンサで検知することにより、火災を監視することができる。従来は、煙や異臭が台座から漏れ出してから初めて火災を察知していたが、センサを備えることにより早期の察知が可能となる。
【００１５】
前記通報手段は、前記位置センサにより検知された前記貯留物の上位端の位置が規定上限値よりも高いときあるいは規定下限値よりも低いとき、あるいは前記温度センサにより検知された温度が規定上限値を超えたとき、あるいは前記煙センサにより検知された煙濃度が規定上限値を超えたときに、点灯する表示ランプを備えることが好ましい。また、前記通報手段は、異常を意味する電気信号を出力する報知器を備えてもよい。
【００１６】
検知手段で吸殻貯留手段内の異常、すなわち貯留物が一杯になったことや火災発生を検知したときに、これを通報する手段として、例えば台座側方に表示ランプを備えることができる。また、異常を意味する電気信号を遠方に出力することにより、例えば遊技店内の集中監視室で一括監視を行うことができる。
【００１７】
なお、貯留物の上位端の規定上限値には、貯留物の回収及び清掃を推奨する位置を設定することが好ましい。これにより、従業員が定期的に扉を開けて貯留物の量を確認する手間は不要になる。さらに、規定下限値を設定することにより、消火水の補給忘れや、水槽の破損などの不具合も監視できる。また、温度の規定上限値は、遊技店内の室温に加え、台座内に収納されている電気設備の発熱も考慮して、設定することが好ましい。
【００１８】
次に、上述のように構成された本発明の吸殻回収装置の動作について説明する。遊技者が投入口から投入した吸殻は、吸殻受容手段内に受容され溜まる。すると、吸殻捕集部材が駆動手段により駆動され、吸殻受容手段の他端部から一端部まで移動して途中で吸殻を捕集しながら移送する。移送された吸殻は吸殻受容手段の一端部から吸殻貯留手段に落下して貯留される。貯留物の量が増加するにつれて、その上位端の位置は上昇する。貯留物の上位端の位置を検知している超音波センサは、上位端の位置が規定上限値を超過した時点で表示ランプを点灯させ、貯留物を回収する時期であることを通報する。
【００１９】
また、一度に多数の吸殻が投入されたり、紙くずなどの可燃物が一緒に投入されて、吸殻貯留手段内で火災が発生した場合には、温度が上昇し、煙が発生する。これを検知した温度センサあるいは煙センサは、表示ランプを点灯させて異常を通報する。
【００２０】
表示ランプの点灯を見つけた従業員は、吸殻貯留手段の内部状況を点検して、貯留物の回収やその他の適切な方策をとることができる。
【発明の効果】
【００２１】
本発明の吸殻回収装置は、吸殻貯留手段の内部状態を検知する検知手段と、検知手段の検知結果を通報する通報手段を備えるので、吸殻貯留手段内で生じる異常を早期に検知、通報することができる。とりわけ、吸殻貯留手段内の貯留物の上位端の位置を検知する超音波センサを備えることにより、貯留物があふれ出ることを未然に検知でき、煩わしい定期点検作業やあふれ出た後の清掃作業は不要となる。また、温度センサあるいは煙センサを備えることにより、吸殻貯留手段内の火災を早期に察知することができる。
【発明を実施するための最良の形態】
【００２２】
本発明を実施するための最良の形態を、図１及び図２を参考にして説明する。図１は、複数の遊技台９９を戴置した台座７０に本発明の実施例の吸殻回収装置を設けた全体斜視図である。図２は、本発明の実施例の吸殻回収装置の断面図である。本発明の実施例の吸殻回収装置は、吸殻受容手段１０と、吸殻移送手段２０と、吸殻貯留手段に相当する水槽３０と、検知手段４０と、通報手段に相当する表示ランプ５０と、で構成されている。
【００２３】
吸殻受容手段１０は、図１に示されるように台座７０の内部に配設されている。台座７０は、遊技台を戴置する天板７１と、側板７２と、側脚７３と、で構成されている。そして、各遊技台９９ごとに、天板７１を貫通して吸殻を投入する投入口７４が形成されている。吸殻受容手段１０は、全ての投入口７４の下部を通り、台座７０の全長に渡って形成されている。具体的には、吸殻受容手段１０は、天板７１に固定される上側部材１１と、正面部材と、背面部材と、下側部材１２と、側面部材１３とで、５面が区画される長尺の箱形形状になっている。吸殻受容手段１０の残る側面の一端部１８は、台座７０の側方に並んで配設されている側部箱８０内に開いている。なお、上側部材１１には、天板７１に形成された投入口７４と重なる全ての位置に貫通孔が設けられ、吸殻を受容できるようになっている。
【００２４】
吸殻移送手段２０は、吸殻を押して移送する複数個の捕集板２１と、捕集板２１を固設するエンドレスチェーン２２と、エンドレスチェーン２２を架装し駆動する４つのスプロケット２３〜２６と、逆方向への吸殻の移送を阻止するストッパ２７と、で構成されている。
【００２５】
駆動スプロケット２３、可動スプロケット２４、第一固定スプロケット２５は側部箱８０内に、第二固定スプロケット２６は吸殻受容手段１０内の他端部１９に、それぞれ配設されている。これらのスプロケット２３〜２６にエンドレスチェーン２２が架装され、吸殻受容手段１０内を長尺方向に左回転するようになっている。駆動スプロケット２３は図略の駆動源をもち、エンドレスチェーン２２の左回転を駆動している。可動スプロケット２４は、エンドレスチェーン２２の張力を一定に保っている。第一固定スプロケット２５及び第二固定スプロケット２６は、吸殻受容手段１０内のエンドレスチェーン２２の高さを維持し、後述の捕集板２１の摺動動作を適正に保っている。
【００２６】
複数の捕集板２１は板状であり、吸殻受容手段１０の下側部材１２に対して垂直となるように、また適当な間隔でエンドレスチェーン２２に固設されている。捕集板２１の下面は、下側部材１２の上面と同一形状となっている。したがって、エンドレスチェーン２２が回転すると、捕集板２１は下側部材１２上を摺接しながら移動し、吸殻を図２の左側の他端部１９から右側の一端部１８まで押して移送するようになっている。
【００２７】
ストッパ２７は、吸殻受容手段１０の他端部１９側で第二固定スプロケット２６よりも一端側の位置で、上側部材１１の下に固設される略矩形状の部材である。ストッパ２７には、難燃性のゴムまたは樹脂が用いられ、上側部材１１とエンドレスチェーン２２の上側との間の空間を塞ぐように、かつエンドレスチェーン２２に触れないように配設されている。ストッパ２７は、後述するように投入された吸殻やゴミが他端部１９に逆送されて蓄積されることを防止している。
【００２８】
水槽３０は、吸殻貯留手段に相当し、側部箱８０内の吸殻受容手段１０の一端部１８の下方に配設されている。水槽３０には、消火水を蓄えられる堅牢な容器が用いられている。吸殻受容手段１０の一端部１８の真下には傾斜した板材の誘導板３２が設けられ、落下する吸殻が確実に水槽３０に入るようになっている。また、誘導板３２は吸殻の落下速度を抑制して、水槽３０から飛び出すことを防止し、水滴の飛散も低減している。
【００２９】
検知手段４０は、側部箱８０の内壁面から水槽３０の上部に張り出している支持部材８１に固設されている。検知手段４０には、超音波センサ４１と、温度センサ４２と、煙センサ４３と、が併用されている。超音波センサ４１は、支持部材８１の下側に、消火水や吸殻やゴミなどの貯留物３１と対向する向きに固設されている。したがって、超音波センサ４１は、超音波を貯留物３１に向かって発信し、上位端で反射した超音波を検出して、往復所要時間から貯留物３１の上位端の位置を検知することができる。温度センサ４２及び煙センサ４３は、水槽３０の上部空間の温度及び煙濃度をそれぞれ検知している。
【００３０】
表示ランプ５０は、通報手段に相当し、側部箱８０の外面に設けられている。そして、上記３つのセンサ４１〜４３のいずれかにおいて、検知結果が規定値を超えた異常時に、表示ランプ５０が点灯表示するようになっている。なお、点灯だけでなく点滅表示を併用して異常内容を区別してもよく、各センサに対応して表示ランプを３つ設けてもよい。
【００３１】
次に、上述のように構成された吸殻回収装置の動作について説明する。遊技者が投入口７４から投入した吸殻は、吸殻受容手段１０内に受容され溜まる。駆動スプロケット２３は、常時あるいは間欠的にエンドレスチェーン２２を駆動し、左回転させている。エンドレスチェーン２２に固設された捕集板２１は、下側部材１２上を他端部１９から一端部１８へ（図２の左から右方向へ）摺接しながら移動し、溜まった吸殻を一端部１８まで押して移送する。このとき、下側部材１２上に溜まらずに、エンドレスチェーン２２の上側にひっかかり他端部１９に向かって逆送される吸殻があっても途中でストッパ２７に当たり、下側部材１２上に落下し、結局は一端部１８に移送される。一端部１８に移送された吸殻は、落下して誘導板３２を経由して水槽３０に入る。吸殻は消火水を吸って自然に消火され、貯留物３１として、貯留される。
【００３２】
貯留物３１の量が増加するにつれて、貯留物３１の上位端の位置は上昇する。これを検知している超音波センサ４１は、上位端の位置が規定上限値を超過した時点で表示ランプ５０を点灯させ、貯留物３１を回収する時期であることを通報する。表示ランプ５０の点灯を見つけた従業員は、側部箱８０の扉８２を開いて水槽３０の内部状況を点検し、貯留物３１の量が多いことを確認し、これを回収して清掃する。
【００３３】
一度に多数の吸殻が投入されたり、紙くずなどの可燃物が一緒に投入されて、水槽３０内で火災が発生した場合には、水槽３０の上部空間の温度が上昇し、煙が発生する。これを検知した温度センサ４２あるいは煙センサ４３は、表示ランプ５０を点灯させて異常を通報する。表示ランプ５０の点灯を見つけた従業員は、側部箱８０の扉８２を開いて水槽３０の内部状況を点検し、適切な方策をとることができる。
【００３４】
本発明の実施例の吸殻回収装置では、超音波センサ４１により水槽３０の貯留物３１の上位端の位置を検知し、規定上限値を超えた時点で表示ランプ５０を点灯している。したがって、この時点で水槽３０の貯留物３１を回収すればあふれ出ることはなく、定期的に水槽３０の内部状況を確認する煩わしい点検作業は不要となる。また、温度センサ４２及び煙センサ４３を備えているため、水槽３０内の火災を早期に察知することができる。
【産業上の利用可能性】
【００３５】
本発明の吸殻回収装置は、遊技店などで、多数の投入口から投入されるたばこの吸殻やゴミを回収する装置に、広く適用できる。
【図面の簡単な説明】
【００３６】
【図１】本発明の実施例の吸殻回収装置の全体斜視図である。
【図２】本発明の実施例の吸殻回収装置の断面図である。
【符号の説明】
【００３７】
１０：吸殻受容手段
１１：上側部材      １２：下側部材      １３：側面部材
１８：一端部        １９：他端部
２０：吸殻移送手段
２１：捕集板      ２２：エンドレスチェーン      ２３：駆動スプロケット  ２４：可動スプロケット          ２５：第一固定スプロケット
２６：第二固定スプロケット      ２７：ストッパ
３０：水槽        ３１：貯留物      ３２：誘導板
４０：検知手段
４１：超音波センサ    ４２：温度センサ      ４３：煙センサ
５０：表示ランプ
７０：台座
７１：天板        ７２：側板          ７３：側脚        ７４：投入口
８０：側部箱      ８１：支持部材      ８２：扉
９９：遊技台
【図１】
2006130139.tif 000003
【図２】
2006130139.tif 000004